(57)【特許請求の範囲】
【請求項１】
基端側が互いに離間し、先端側が連結部で連結した一対の支持腕からなる基体と、該基体を縦糸に対して横向きの姿勢に保持すべく前記各支持腕の基端側に形成した縦糸挿通穴と、前記基体の連結部に前記縦糸に対して略直角方向に形成したハリス挿通穴とからハリス支持具を構成し、前記縦糸挿通穴に挿通した縦糸に前記一対の支持腕間に位置して結び玉を形成すると共に、該結び玉の上下に位置して一対の支持ビーズを挿装することにより前記ハリス支持具を該縦糸に回動可能に支持させ、かつ、基端側に止めビーズを止着し、先端に釣り針を係着するハリスを前記ハリス挿通穴に挿通することにより前記ハリス支持具に設けてなる釣り用仕掛。
【請求項２】
前記ハリス挿通穴は、開口外縁側を少なくとも上下方向に拡開したガイド面に形成してあることを特徴とする請求項１記載の釣り用仕掛。
【発明の詳細な説明】
【０００１】
【発明の属する技術分野】
本発明は、魚釣り用の仕掛、例えばタラ、ガヤ、ソイ、ホッケ、鮭等の魚を磯釣りや船釣りで釣るのに用いて好適な釣り用仕掛に関する。
【０００２】
【従来の技術】
従来技術の釣り用仕掛として、図５に示すクロスビーズと呼ばれるものがある。このクロスビーズ型仕掛５１は、略繭型に成型した合成樹脂製の仕掛本体５２に長手方向中心の位置に径方向に貫通する幹糸挿通穴５３を形成し、仕掛本体５２の長手方向には中心の位置に貫通するハリス挿通穴５４を形成して構成してある。そして、この仕掛５１は幹糸挿通穴５３に幹糸Ａを挿通し、仕掛本体５２の上下側に結び玉Ａ1 、Ａ2 を形成することにより仕掛本体５２を所望の位置に支持させ、ハリスＢはハリス挿通穴５３に挿通した基端側に結び玉Ｂ1 を形成して仕掛本体５２に係止することにより取着してある。
【０００３】
また、他の従来技術として、図６に示すプラピンと呼ばれる仕掛が用いられている。このプラピン型仕掛６１は、合成樹脂製の仕掛本体６２を長手方向一端側に形成した二股状の一対の腕部６２Ａ、６２Ｂと、該一対の腕部６２Ａ、６２Ｂから他端側にかけて先細りの棒状に形成した軸部６２Ｃとから一体に構成し、前記腕部６２Ａ、６２Ｂに幹糸挿通穴６３、６３を、軸部６２Ｃの先端側にハリス挿通穴６４を夫々形成したものからなる。そして、上側の幹糸挿通穴６３に挿通した幹糸Ａは直径約８ｍｍの止めビーズ６５に挿装し、該止めビーズ６５に１巻して再度挿通した後下側の幹糸挿通穴６３に挿通して結び玉Ａ3 を形成することにより幹糸Ａの所望の位置に仕掛本体６２を支持させてあり、ハリスＢは軸部６２Ｂのハリス挿通穴６４に基端側を挿着してある。
【０００４】
【発明が解決しようとする課題】
上述した従来の仕掛は広く使用されているが、クロスビーズ型仕掛け５１に関しては以下の諸欠点がある。第１に、幹糸Ａに形成した上下の結び玉Ａ1 、Ａ2 で仕掛本体５２を支持しているため、仕掛本体５２に引きの力が加わると結び玉Ａ1 が幹糸挿通穴５３の口縁５３Ａに食い込んだ状態になってしまう。このため、幹糸Ａに対して仕掛本体５２が円滑に回転することができず、魚の動きに対してハリスＢが円滑に追随できないことや、幹糸Ａに無理な力が加わるために捩られて切れ易くなることである。第２に、ハリスＢは結び玉Ｂ1 により仕掛本体５２に係止しているため、魚の引きにより結び玉Ｂ1 がハリス挿通穴５４の口縁５４Ａに食い込んだ状態になり、仕掛本体５２に対してハリスＢは回転することができないために捩れた、切れてしまうことである。第３に、魚を釣り上げる場合にハリスＢがハリス挿通穴５４の口縁５４Ｂで略直角方向に屈曲させられるために、この位置でハリスＢが切断し易いことである。第４に、幹糸ＡとハリスＢとの間隔は仕掛本体５２の長さの半分の間隔、５〜６ミリメートル程度しかなく狭いことからハリスＢが幹糸Ａに絡まり易いことである。
【０００５】
また、プラピン型仕掛６１にも、以下の諸欠点がある。第１に、幹糸Ａは止めビーズ６５に二重に挿通しているため、仕掛本体６２の回転に伴って幹糸Ａ同士が擦れる結果切れ易いことである。第２に、幹糸挿通穴６３から止めビーズ６５外面に折返した幹糸Ａが下側の腕部６２Ｂに擦れるために、この部位で切れ易いことである。第３に、ハリスＢは仕掛本体６２の軸部６２Ｃに締着するために捩れが出来易いことである。このため、ハリスＢが幹糸Ａと絡まる原因になったり、捩れによる波状の癖が形成されて再使用できなくなることである。第４に、幹糸Ａには複数個の仕掛６１を設けるが、各仕掛６１の止めビーズが約８ｍｍの大きさがあるために潮の影響を受け易く、釣果に影響することである。
【０００６】
本発明は上述した従来技術の諸欠点や問題点に鑑みなされたもので、縦糸に対する回動性がよいので、縦糸及びハリスに無理な力が加わることがなく、魚の動きに円滑に追随できるし、縦糸及びハリスが切断するのを防止できる釣り用仕掛を提供することを目的とする。
【０００７】
【課題を解決するための手段】
上述した課題を解決するために構成された本発明の手段は、基端側が互いに離間し、先端側が連結部で連結した一対の支持腕からなる基体と、該基体を縦糸に対して横向きの姿勢に保持すべく前記各支持腕の基端側に形成した縦糸挿通穴と、前記基体の連結部に前記縦糸に対して略直角方向に形成したハリス挿通穴とからハリス支持具を構成し、前記縦糸挿通穴に挿通した縦糸に前記一対の支持腕間に位置して結び玉を形成すると共に、該結び玉の上下に位置して一対の支持ビーズを挿装することにより前記ハリス支持具を該縦糸に回動可能に支持させ、かつ、基端側に止めビーズを止着し、先端に釣り針を係着するハリスを前記ハリス挿通穴に挿通することにより前記ハリス支持具に設けたものからなる。
【０００８】
そして、前記ハリス挿通穴は、開口外縁側を少なくとも上下方向に拡開したガイド面に形成するとよい。
【０００９】
【発明の実施の形態】
以下、本発明の実施の形態を図面に基づき詳述する。図において、１、１、・・・はハリス支持具を示す。なお、該ハリス支持具１を取着することができる糸には、幹糸、道糸、先糸を含むものであることから、場合により幹糸、道糸、先糸を縦糸と総称する。２は該各ハリス支持具１を構成する合成樹脂製又は金属製の基体である。３、３は該基体２を構成する角柱状の一対の支持腕で、該一対の支持腕３は互いに平行な基端部３Ａ、３Ａと、該各基端部３Ａから略く字状に屈曲して互いに接近する伸長部３Ｂ、３Ｂとからなっている。４は該一対の支持腕３、３の伸長部３Ｂ先端を連結する角柱状の連結部で、該連結部４は内、外面４Ａ、４Ｂが縦長の平坦面になっている。
【００１０】
５は一対の支持腕３、３の基端部３Ａ、３Ａ寄りの位置に架設した補強部で、該補強部５には先端方向にリブ５Ａが突出形成してある。該リブ５Ａは後述するハリス挿通穴８に先端側から挿入したハリスＢを基体２の右（左）側方の外側に導出させるためのガイド機能と、後述するビーズ格納部６の開口面積を適当に狭めることにより釣り針Ｄ等がビーズ格納部６内に引っ掛かったり、潜り抜けて絡まったりする事態を防止する機能を有している。そして、一対の支持腕３、３、連結部４及び補強部５により画成される台形状の空間はビーズ格納部６になっており、基体２は正面において略倒置Ａ字状をなしている。なお、本実施の形態において、ハリス支持具１は長さ約２７ｍｍ、基端側縦幅約１６ｍｍ、先端縦幅約９ｍｍに設定してある。
【００１１】
７、７は各支持腕３の基端部３Ａに縦方向に形成した丸穴からなる幹糸挿通穴で、該幹糸挿通穴７に釣り竿Ｃの先端から垂下する幹糸Ａを挿通することにより、基体２は幹糸Ａに対して横向きの姿勢に保持されている。他方、８はハリス挿通穴を示す。該ハリス挿通穴８は連結部４の中央に幹糸Ａに対して直角方向である横方向に形成してあり、丸穴からなるハリス挿通穴８は軸方向途中から外縁側が少なくとも上下方向に傾斜することにより上、下面は拡開したガイド面８Ａ、８Ａになっている。なお、ガイド面は傾斜面に替えて凸状湾曲面に形成してもよい。
【００１２】
ハリス支持具１は上述の構成からなっており、幹糸Ａには次のように取着する。先ず、上側の幹糸挿通穴７に幹糸Ａを挿通して直径約３ミリメートルの上側の支持ビーズ９を挿装したら所望の位置に結び玉Ａ4 を形成する。次に、幹糸Ａに下側の支持ビーズ１０を挿装したら下側の幹糸挿通穴７に幹糸Ａを挿通する。これにより、基体２は結び玉Ａ4 を介して幹糸Ａに支持された上下一対の支持ビーズ９、１０により幹糸Ａに回動可能に取着することができる。
【００１３】
また、ハリスＢは先端側に釣り針Ｄを取着して基端側からハリス挿通穴８に挿通し、止めビーズ１１を挿装して基端側に結び玉Ｂ2 を形成した後、釣り針Ｄ側に引っ張って止めビーズ１１をビーズ格納部６内に位置させる。このようにして、幹糸Ａに適宜の間隔で所望の数の釣り用仕掛を設ける。なお、ハリス支持具１を幹糸Ａに取着する作業及びハリスＢをハリス支持具１に取着する作業の手順は、実施の形態の説明に限定されるものでないことは勿論である。
【００１４】
上述した釣り用仕掛によれば、ハリス支持具１は上側の支持ビーズ９に基体２の基端部３Ａが当接した状態で支持されるから、幹糸Ａに無理な力を加わえることなくハリス支持具１は円滑に回動することができる。また、幹糸Ａに形成した結び玉Ａ4 には球形の支持ビーズ９、１０が当接することにより結び玉Ａ4 に対する摩擦力は最小限にできるから、幹糸Ａが切れるのを可及的に防止することができる。しかも、幹糸Ａにハリス支持具１を取着するための結び玉Ａ4 は１個で足りるから、幹糸Ａにハリス支持具１を取着する作業は従来技術と比較して短時間でできるし、断線時の修理も容易に行うことができる。
【００１５】
また、ハリス挿通穴８の外縁側は上下面を傾斜面８Ａ、８Ａに形成してあるから、ハリス挿通穴８に挿通したハリスＢが魚により上方或は下方に引かれた場合、ハリスＢに曲げ方向の力が無理に加わることがないので、癖が付いたり切れたりすることがない。
【００１６】
更に、基体２を構成する一対の支持腕３、３は連結部４側に向かって先細りの形状に形成してあるから、ハリスＢ等の糸が基体２に巻き付くような状況になっても当該糸は容易に基体２から離脱させることができる。
【００１７】
【発明の効果】
本発明は以上詳述した如く構成したから、下記の諸効果を奏する。
（１）ハリス支持具は縦糸に上、下２個の支持ビーズで支持してあるから円滑に回動することができるので、ハリスは魚の動きに円滑に追随することができ、しかも縦糸に無理な力が加わることがないから縦糸が切断する事故を解消することができる。
（２）縦糸に形成する結び玉は１個であるから、縦糸が切れる危険性を減少することができるし、縦糸に複数のハリス支持具を取着する時間を従来技術と比較して短縮することができると共に、補修も容易にできる。
（３）ハリスはハリス支持具にハリス挿通穴に挿通して止めビーズを介して止着した構成にしたから、ハリスは魚の動きに円滑に追随して動くことができるし、ハリスがハリス支持具に絡まる事態を防止できる。
（４）ハリス挿通穴の外縁側は上、下方向に拡開したガイド面に形成してあるから、ハリスに無理な曲げ方向の力が加わらないので、癖が付いたり切れたりする問題を解決することができる。
【図面の簡単な説明】
【図１】図１乃至図４は本発明の実施の形態に係り、図１は幹糸に釣り用仕掛を設けた状態の説明図である。
【図２】釣り用仕掛を一部破断にして示す拡大正面図である。
【図３】図２中のＩＩＩ−ＩＩＩ矢示方向断面図である。
【図４】釣り用仕掛の右側面図である。
【図５】図５及び図６は従来技術に係り、図５はクロスビーズ型仕掛の説明図である。
【図６】プラピン型仕掛の説明図である。
【符号の説明】
１          ハリス支持具
２          基体
３          支持腕
４          連結部
７          幹糸挿通穴
８          ハリス挿通穴
８Ａ        ガイド面
９、１０    支持ビーズ
１１        止めビーズ
Ａ          幹糸（縦糸）
Ａ4         結び玉
Ｂ          ハリス
Ｄ          釣り針
【図１】
0003783083.tif 000002
【図２】
0003783083.tif 000003
【図３】
0003783083.tif 000004
【図４】
0003783083.tif 000005
【図５】
0003783083.tif 000006
【図６】
0003783083.tif 000007